(57)【要約】【課題】  コネクタの嵌合面とサブコネクタの先端位置とが面一となって、端子の接触代を十分確保することができるサブコネクタのロック構造を提供する。【解決手段】  サブコネクタ１０に設けられた片持の可撓性のロックアーム１４と、サブコネクタ収容部に設けられてサブコネクタ収容部１３へのサブコネクタ１０の挿入時に可撓性のロックアーム１４が当接摺動し一旦撓んだ後に元の形状に復帰して係合する係止部１５とを備え、サブコネクタ１０をフレーム１２のサブコネクタ収容部１３にロックするサブコネクタのロック構造であって、係止部１５へのロックアーム１４の係合状態でメインコネクタ１１の相手コネクタへの嵌合面１６とサブコネクタ１０の端面１７とが面一となるように、ロックアーム１４の撓み時の位置と形状復帰したときの係合位置とのストローク差Ｓを吸収するストローク差吸収手段１８を設けた。【選択図】      図１
2006085999.tif 000002
【特許請求の範囲】
【請求項１】
サブコネクタを収容してメインコネクタを形成するフレームのサブコネクタ収容部又は、サブコネクタ収容部に挿入されるサブコネクタのいずれか一方に設けられた片持の可撓性のロックアームと、いずれか他方に設けられて前記サブコネクタ収容部へのサブコネクタの挿入時に前記可撓性ロックアームが当接・摺動し一旦撓んだ後に元の形状に復帰して係合する係止部とを備え、前記サブコネクタを前記フレームのサブコネクタ収容部に挿入・固定するサブコネクタのロック構造であって、
前記係止部へのロックアームの係合状態で前記メインコネクタの相手コネクタへの嵌合面と前記サブコネクタの端面とが面一となるように、前記ロックアームの撓み時の先端部の位置と形状復帰した時の先端部の位置とのストローク差を吸収するストローク差吸収手段を設けたことを特徴とするサブコネクタのロック構造。
【請求項２】
請求項１記載のサブコネクタのロック構造であって、
前記ストローク吸収手段は、前記サブコネクタの端面位置が前記係合状態で嵌合面と面一となるように前記サブコネクタを前記ストローク差分延設した延長部であることを特徴とするサブコネクタのロック構造。
【請求項３】
請求項１記載のサブコネクタのロック構造であって、
前記サブコネクタに前記ロックアームが嵌合面側から後端側へ延設され、前記係止部が前記サブコネクタ収容部の内壁に設けられ、
前記ストローク差吸収手段は、前記ロックアームの位置を前記嵌合面と反対側に前記ストローク差分移動させたことであることを特徴とするサブコネクタのロック構造。
【請求項４】
請求項１記載のサブコネクタのロック構造であって、
前記サブコネクタに前記ロックアームが嵌合面側から後端側へ延設され、前記係止部が前記サブコネクタ収容部の内壁に設けられ、
前記ストローク差吸収手段は、前記係止部の位置を前記嵌合面側へストローク差分移動させたことであることを特徴とするサブコネクタのロック構造。
【請求項５】
請求項１乃至請求項４のいずれか一項に記載のサブコネクタのロック構造であって、
前記サブコネクタの上下面とサブコネクタ収容部の内面に、前記サブコネクタ収容部からの嵌合面側への突き抜けを防止する突き抜け防止手段を設け、
該突き抜け防止手段は、前記サブコネクタの上下面又はサブコネクタ収容部の上下面部対向壁のいずれか一方に設けた突き抜け防止リブと、他方に設けられて前記突き抜け防止リブが挿入する挿入溝と、この挿入溝の前記嵌合面側に設けられて前記突き抜け防止リブが、少なくとも前記ロックアームが撓み状態から形状復帰したときに当接する当接壁とからなることを特徴とするサブコネクタのロック構造。
【請求項６】
請求項５記載のサブコネクタのロック構造であって、
前記突き抜け防止リブと前記挿入溝がサブコネクタの上面側と下面側でそれぞれ複数設けられ、上面側又は下面側のいずれか一方に設けた前記挿入溝のピッチと、いずれか他方に設けた前記挿入溝のピッチとが異なる寸法に設定されていることを特徴とするサブコネクタのロック構造。
【請求項７】
請求項１乃至請求項６のいずれか一項に記載のサブコネクタのロック構造であて、
前記フレームには、相手コネクタとの嵌合面を形成する嵌合面形成部材が設けられ、該嵌合面形成部材は、サブコネクタ収容部の嵌合面側の開口縁部に設けられてサブコネクタの端面側が当接する可撓性の嵌合面壁を有することを特徴とするサブコネクタのロック構造。
【発明の詳細な説明】
【技術分野】
【０００１】
本発明は、メインコネクタを形成するフレームにサブコネクタを挿入・固定するサブコネクタのロック構造に関する。
【背景技術】
【０００２】
特許文献１に、複数のサブコネクタをフレームに組み付けてメインコネクタを形成する分割コネクタ１が記載されている。この分割コネクタ１では、図７（ａ）に示すように、フレーム２のサブコネクタ収容部３の対向する両内壁４、４から可撓性の係止腕５、５がそれぞれ突設され、サブコネクタ６の両側に設けられた係止突起７、７と係合することによりサブコネクタ収容部３にサブコネクタ６が組み付けられる。
【０００３】
サブコネクタ収容部３内にサブコネクタ６を組み付けるには、相手コネクタとの嵌合面８の反対側から、サブコネクタ６をサブコネクタ収容部３内に挿入する。サブコネクタ６をサブコネクタ収容部３内に挿入すると、係止突起７、７が可撓性の係止腕５、５と当接し、さらにサブコネクタ６を挿入すると、係止突起７が可撓性の係止腕５を強制的に撓ませる。この状態でさらにサブコネクタ６を挿入させると、係止突起７が可撓性の係止腕５を撓ませたまま、摺動し、サブコネクタ６を組付位置まで挿入すると、係止突起７が可撓性の係止腕５から外れ、可撓性の係止腕５が元の形状に復帰し、係止突起７の垂直壁面９と当接する。
【０００４】
これにより、サブコネクタ６がフレーム２のサブコネクタ収容部３内に、抜けが阻止された状態で組み付けられる。
【特許文献１】特開２００２−１９８１２１号（図４）
【発明の開示】
【発明が解決しようとする課題】
【０００５】
ところが、可撓性の係止腕５は、片持形状なので、撓んだ際の先端部の嵌合面８からの位置と、元の形状に復帰した際の嵌合面からの位置とに差（ストローク差）Ｓがあるため、図７（ｂ）に示すように、係止突起７と可撓性の係止腕５とが係合した状態では、ストローク差Ｓだけ、サブコネクタ６が嵌合面８からサブコネクタ収容部３側へ移動する。このため、相手コネクタとの嵌合時に、相手コネクタに収容されている端子との接触代が減少してしまうという課題を有している。この接触代の減少は、小型の端子であればあるほど、十分な接触代を確保することができなくなる。
【０００６】
そこで、本発明は、コネクタの嵌合面とサブコネクタの先端位置とが面一となって、端子の接触代を十分確保することができるサブコネクタのロック構造の提供を目的とする。
【課題を解決するための手段】
【０００７】
上記の目的を達成するため、請求項１の発明は、サブコネクタを収容してメインコネクタを形成するフレームのサブコネクタ収容部又は、サブコネクタ収容部に挿入されるサブコネクタのいずれか一方に設けられた片持の可撓性のロックアームと、いずれか他方に設けられて前記サブコネクタ収容部へのサブコネクタの挿入時に前記可撓性のロックアームが当接・摺動し一旦撓んだ後に元の形状に復帰して係合する係止部とを備え、前記サブコネクタを前記フレームのサブコネクタ収容部に挿入・固定するサブコネクタのロック構造であって、前記係止部へのロックアームの係合状態で前記メインコネクタの相手コネクタへの嵌合面と前記サブコネクタの端面とが面一となるように、前記ロックアームの撓み時の先端部の位置と形状復帰した時の先端部の位置とのストローク差を吸収するストローク差吸収手段を設けたことを特徴とする。
【０００８】
このサブコネクタのロック構造では、サブコネクタをサブコネクタ収容部に挿入すると、ロックアームが係止部に当接摺動して、可撓性のロックアームが一旦撓んだ後の元の形状に復帰し、係止部と係合する。このとき、可撓性のロックアームのストローク差がストローク差吸収手段によって吸収されるので、可撓性のロックアームが元の形状に復帰し係止部と係合した状態では、サブコネクタの端面とコネクタの嵌合面とが面一となる。
【０００９】
請求項２の発明では、請求項１記載のサブコネクタのロック構造であって、前記ストローク吸収手段は、前記サブコネクタの端面位置が前記係合状態で係合面と面一となるように前記サブコネクタを前記ストローク差分延設した延長部であることを特徴とする
このサブコネクタのロック構造では、サブコネクタにストローク差分延設した延長部を設けることにより、サブコネクタ収容部内にサブコネクタを挿入し、ロックアームが係止部に当接・摺動して元の形状に復帰可能なときに、すなわちロックアームの先端部が係止部を通り越す際に、サブコネクタの延長部がコネクタの嵌合面を一旦通り越す。そして、ロックアームが元の形状に復帰し係止部と係合すると延長部はサブコネクタ収容部側へ移動して、コネクタの嵌合面とサブコネクタの端面とが面一となる。
【００１０】
請求項３の発明では、請求項１記載のサブコネクタのロック構造であって、前記サブコネクタに前記ロックアームが嵌合面側から後端側へ延設され、前記係止部が前記サブコネクタ収容部の内壁に設けられ、前記ストローク差吸収手段は、前記ロックアームの位置を前記嵌合面と反対側に前記ストローク差分移動させたことであることを特徴とする。
【００１１】
このサブコネクタのロック構造では、ロックアームの位置をコネクタの嵌合面と反対側にストローク差分だけ移動させることにより、ロックアームが元の形状に復帰し係止部と係合するとサブコネクタの端面側はサブコネクタ収容部側へ移動して、コネクタの嵌合面とサブコネクタの端面位置とが面一となる。
【００１２】
請求項４の発明では、請求項１記載のサブコネクタのロック構造であって、前記サブコネクタに前記ロックアームが嵌合面側から後端側へ延設され、前記係止部が前記サブコネクタ収容部の内壁に設けられ、前記ストローク差吸収手段は、前記係止部の位置を前記嵌合面側へストローク差分移動させたことであることを特徴とする。
【００１３】
このサブコネクタのロック構造では、係止部の位置を嵌合面側へストローク差分だけ移動させたので、サブコネクタ収容部内にサブコネクタを挿入し、係止部が可撓性のロックアームに当接摺動して元の形状に復帰可能なときに、サブコネクタの先端側がコネクタの嵌合面を一旦通り越す。そして、可撓性のロックアームが元の形状に復帰し係止部と係合するとサブコネクタの端面側はサブコネクタ収容部側へ移動して、コネクタの嵌合面とサブコネクタの端面位置とが面一となる。
【００１４】
請求項５の発明では、請求項１乃至請求項４のいずれか一項に記載のサブコネクタのロック構造であって、前記サブコネクタの上下面とサブコネクタ収容部の内面に、前記サブコネクタ収容部からの嵌合面側への突き抜けを防止する突き抜け防止手段を設け、該突き抜け防止手段は、前記サブコネクタの上下面又はサブコネクタ収容部の上下面部対向壁のいずれか一方に設けた突き抜け防止リブと、他方に設けられて前記突き抜け防止リブが挿入する挿入溝と、この挿入溝の前記嵌合面側に設けられて前記突き抜け防止リブが、少なくとも前記ロックアームが撓み状態から形状復帰したときに当接する当接壁とからなることを特徴とする。
【００１５】
このサブコネクタのロック構造では、コネクタをサブコネクタ収容部に挿入し、ロックアームを係止部に当接摺動させてロックアームを一旦撓ませた後に、ロックアームが元の形状に復帰する位置までサブコネクタを挿入すると、突き抜け防止リブが挿入溝に挿入され、当接壁に当接する。ロックアームが元の形状に復帰し、サブコネクタの端面がコネクタの嵌合面と面一となった状態では、突き抜け防止リブリブは当接壁から離れる。従って、サブコネクタ収容部内へのサブコネクタの挿入時に、サブコネクタがサブコネクタ収容部から突き抜けることがない。
【００１６】
請求項６の発明では、請求項５記載のサブコネクタのロック構造であって、前記突き抜け防止リブと前記挿入溝がサブコネクタの上面側と下面側でそれぞれ複数設けられ、上面側又は下面側のいずれか一方に設けた前記挿入溝のピッチと、いずれか他方に設けた前記挿入溝のピッチとが異なる寸法に設定されていることを特徴とする。
【００１７】
このサブコネクタのロック構造では、サブコネクタをサブコネクタ収容部内に挿入する際に、サブコネクタの上面側と下面側の挿入溝のピッチが異なる寸法に設定されているので、サブコネクタをサブコネクタ収容部内に正規な挿入方向と異なる誤った方向で挿入しようとしても、突き抜け防止リブが挿入溝に挿入することができないので、サブコネクタをサブコネクタ収容部内に挿入することができない。従って、サブコネクタ収容部へのサブコネクタの誤挿入を防止することができる。
【００１８】
請求項７の発明では、請求項１乃至請求項６のいずれか一項に記載のサブコネクタのロック構造であって、前記フレームには、相手コネクタとの嵌合面を形成する嵌合面形成部材が設けられ、該嵌合面形成部材は、サブコネクタ収容部の嵌合面側の開口縁部に設けられてサブコネクタの端面側が当接する可撓性の嵌合面壁を有することを特徴とする。
【００１９】
このサブコネクタのロック構造では、サブコネクタ収容部内にサブコネクタが収容され、ロックアームが係止部に係合した状態では、サブコネクタの端面は嵌合面壁に当接し、ロックアームが係止部側に押圧される。
【発明の効果】
【００２０】
以上説明したように、請求項１の発明によれば、ロックアームのストローク差がストローク差吸収手段によって吸収されるので、ロックアームが元の形状に復帰して係止部と係合した状態では、サブコネクタの端面位置とコネクタの嵌合面とが面一となり、相手コネクタとの嵌合時に端子同士の接触代を十分確保することができる。
【００２１】
請求項２の発明によれば、サブコネクタにストローク差分延設した延長部を設けることにより、可撓性のロックアームが元の形状に復帰し係止部と係合すると延長部はサブコネクタ収容部側へ移動して、コネクタの嵌合面とサブコネクタの端面位置とが面一となる。これにより、相手コネクタとの嵌合時に、端子同士の接触代を十分確保することができる。
【００２２】
請求項３の発明によれば、可撓性のロックアームの位置をコネクタの嵌合面と反対側に移動させることにより、可撓性のロックアームが元の形状に復帰し係止部と係合するとコネクタの先端側はサブコネクタ収容部側へ移動して、コネクタの嵌合面とサブコネクタの先端位置とが面一となる。これにより、相手コネクタとの嵌合時に、端子同士の接触代を十分確保することができる。
【００２３】
請求項４の発明によれば、係止部の位置を嵌合面側へストローク差分だけ移動させたので、可撓性のロックアームが元の形状に復帰し係止部と係合するとコネクタの先端側はサブコネクタ収容部側へ移動して、コネクタの嵌合面とサブコネクタの先端位置とが面一となる。これにより、相手コネクタとの嵌合時に、端子同士の接触代を十分確保することができる。
【００２４】
請求項５の発明によれば、突き抜け防止リブが挿入溝に挿入し、当接壁に当接してサブコネクタのサブコネクタ収容部内への挿入量が規制されるので、サブコネクタがサブコネクタ収容部内から突き抜けることがない。
【００２５】
請求項６の発明によれば、サブコネクタの上面側と下面側の挿入溝のピッチが異なる寸法に設定されているので、サブコネクタ収容部へのサブコネクタの誤挿入を防止することができる。
【００２６】
請求項７の発明によれば、サブコネクタ収容部内にサブコネクタが収容され、ロックアームが係止部に係合した状態では、サブコネクタの端面は嵌合面壁に当接し、ロックアームが係止部側に押圧されるので、サブコネクタ収容部内にサブコネクタをがたつきなく収容することができる。
【発明を実施するための最良の形態】
【００２７】
以下、本発明の実施形態を図面に基づいて説明する。図１はサブコネクタ１０を収容してメインコネクタ１１を形成するフレーム１２を示し、（ａ）はサブコネクタ１０を収容した状態を示す一部断面図、（ｂ）は（ａ）の一部を拡大した断面図である。
【００２８】
本実施形態のサブコネクタ１０のロック構造では、メインコネクタ１１を形成するフレーム１２のサブコネクタ収容部１３に挿入されるサブコネクタ１０に設けられた片持の可撓性のロックアーム１４と、サブコネクタ収容部１３へのサブコネクタ１０の挿入時に可撓性のロックアーム１４が当接摺動し一旦撓んだ後に元の形状に復帰して係合する係止部１５とを備え、サブコネクタ１０をフレーム１２のサブコネクタ収容部１３に挿入・固定する。
【００２９】
そして、本実施形態のサブコネクタ１０のロック構造では、係止部１５へのロックアーム１４の係合状態でメインコネクタ１１の相手コネクタへの嵌合面１６とサブコネクタ１０の端面１７とが面一となるように、ロックアーム１４の撓み時の先端部１４ａの位置と形状復帰したときの先端部１４ａの位置とのストローク差Ｓを吸収するストローク差吸収手段１８が設けられている。
【００３０】
図１（ａ）、図２に示すように、メインコネクタ１１を形成するフレーム１２は合成樹脂で一体成形されており、略円柱状の本体部１９と、この本体部１９の軸方向の中間部に形成された環状のフランジ部２０と、このフランジ部２０の一部が切り掛かれた電線挿通部２１とが形成されている。
【００３１】
本体部１９は、中心部に相手コネクタとの嵌合用の回動レバー（不図示）が挿入されるレバー挿入孔２２が設けられ、このレバー挿入孔２２の周囲に複数の端子収容室２３と、２つのサブコネクタ１０、１０がそれぞれ収容されるサブコネクタ収容部１３、１３が形成されている。また、サブコネクタ収容部１３、１３は、レバー挿入孔２２を挟んで両側に位置している。本体部１９の相手コネクタとの嵌合面１６側には、嵌合面１６を形成する嵌合面形成部材２４が組み付けられている。
【００３２】
嵌合面形成部材２４は、複数の端子収容室２３の嵌合面１６側の開口縁部およびサブコネクタ収容部１３、１３の嵌合面側の開口縁部２５に位置して、本体部１９の嵌合面１６側を面一に形成している。さらに、嵌合面形成部材２４には、サブコネクタ収容部１３の嵌合面１６側に、可撓性の嵌合面壁２６が形成されている。この嵌合面壁２６には、サブコネクタ収容部１３に収容されたサブコネクタ１０の端面１７が面一状態で当接する。
【００３３】
サブコネクタ収容部１３は、側面部対向壁２７ａ、２７ｂと、上下面部対向壁２８ａ、２８ｂとで断面矩形状に形成されている。側面部対向壁２７ａ、２７ｂには、サブコネクタ１０をサブコネクタ収容部１３に収容した状態で後述するサブコネクタ１０の両側面３８、３９がそれぞれ対向し、上下面部対向壁２８ａ、２８ｂには、後述するサブコネクタ１０の上下面３６、３７がそれぞれ対向する。側面部対向壁２７ａ、２７ｂには、所定の間隔をあけて一対のガイドリブ２９ａ、２９ａ、２９ｂ、２９ｂが設けられている。これらのガイドリブ２９ａ、２９ａ、２９ｂ、２９ｂ間には、嵌合面１６側に係止部１５、１５が形成されている。これらの係止部１５、１５には、サブコネクタ１０の可撓性のロックアーム１４、１４が係止する。また、上下面対向壁２８ａ、２８ｂには、上下面対向壁２８ａ，２８ｂから内側へ突出した薄い支持壁３０、３０が一体に設けられている。この支持壁３０、３０には、嵌合面１６と反対側に開口し、サブコネクタ１０の挿入方向に沿って挿入溝３１、３２がそれぞれ２つづつ設けられている。また、上下面部対向壁２８ａに設けられた２つの挿入溝３１は所定のピッチ寸法Ｌ２に設定され、上下面部対向壁２８ｂに設けられた２つの挿入溝３２は所定のピッチ寸法Ｌ１に設定されている。また、これらの挿入溝３１のピッチ寸法Ｌ１、Ｌ２は異なる寸法に設定され、Ｌ２＞Ｌ１に設定されている。これらの挿入溝３１、３１、３２、３２の嵌合面１６側の底部が、当接壁３３となっている。そして、挿入溝３１、３２内には、後述するサブコネクタ１０の突き抜け防止リブ４２、４３がそれぞれ挿入され、当接壁３３に突き抜け防止リブ４２、４３の先端部が当接する。
【００３４】
サブコネクタ１０は、図４乃至図６に示すように、上下２段に複数の端子収容室３４が形成されたハウジング３５と、電線端末に接続され端子収容室３４内に収容された端子（不図示）とで形成されている。ハウジング３５は、上下面３６、３７と両側面３８、３９とで箱形形状に形成されている。両側面３８、３９には、ガイド溝４０、４０がそれぞれ形成されている。このガイド溝４０内には、サブコネクタ１０の端面１７側から、後端４１側に向けて延設された片持の可撓性のロックアーム１４、１４がそれぞれ形成されている。また、上下面３６、３７には、一対の突き抜け防止リブ４２、４３が端面１７側に向けてそれぞれ２つづつ設けられている。
【００３５】
サブコネクタ１０の上面３６の突き抜け防止リブ４２、４２は所定のピッチ寸法Ｐ１に設定され、下面３７の突き抜け防止リブ４３、４３は所定のピッチ寸法Ｐ２に設定されている。また、これらの突き抜け防止リブ４２、４３のピッチ寸法Ｐ１，Ｐ２は異なるピッチ寸法に設定され、Ｐ２＞Ｐ１に設定されている。さらに、サブコネクタ１０をサブコネクタ収容部１３内に収容した状態では上面３６に上面部対向壁２８ｂが対向する。また、突き抜け防止リブ４２、４２のピッチ寸法Ｐ１は、挿入溝３２のピッチ寸法Ｌ１と等しく設定されている。
【００３６】
また、サブコネクタ１０をサブコネクタ収容部１３内に収容した状態では下面３７に下面部対向壁２８ａが対向する。また、突き抜け防止リブ４３、４３のピッチ寸法Ｐ２は、挿入溝３１のピッチ寸法Ｌ２に等しく設定されている。このため、サブコネクタ１０をサブコネクタ収容部１３に、上面３６が下面部対向壁２８ａに対向し、下面３７が上面部対向壁２８ｂに対向するように正規な挿入方向と異なった方向で挿入しようとしても、突き抜け防止リブ４２、４２のピッチ寸法Ｐ１と挿入溝３１のピッチ寸法Ｌ２とが異なり、突き抜け防止リブ４３、４３のピッチ寸法Ｐ２と挿入溝３２のピッチ寸法Ｌ１とが異なるので、挿入することができない。
【００３７】
また、ハウジング３５の先端側には、サブコネクタ１０の端面１７の位置が係合状態で嵌合面１６と面一となるようにサブコネクタ１０をストローク差Ｓ分延設した延長部（ストローク差吸収手段）４４が形成されている。
【００３８】
次に、サブコネクタ１０をサブコネクタ収容部１３内に組み付ける手順について説明する。
【００３９】
図２（ｂ）に示すように、サブコネクタ１０を嵌合面１６の反対側の後端４１側からサブコネクタ収容部１３内に挿入する。サブコネクタ１０をサブコネクタ収容部１３内に挿入すると、サブコネクタ１０の両側面３８、３９が、側面部対向壁２７ａ、２７ｂに対向し、ガイド溝４０、４０内にガイドリブ２９ａ，２９ｂが挿入する。また、上下面３６、３７は、上下面部対向壁２８ｂ、２８ａに対向し、突き抜け防止リブ４２が、挿入溝３２内に挿入し、突き抜け防止リブ４３が挿入溝３１に挿入する。
【００４０】
この状態から、さらにサブコネクタ１０をサブコネクタ収容部１３内に挿入すると、図７（ａ）に示すように、ロックアーム１４が係止部１５に当接して、撓んだ状態で摺動する。そして、図７（ｂ）に示すようにロックアーム１４の先端部１４ａが係止部１５の係止壁１５ａを通過する直前では、サブコネクタ１０の端面１７は、嵌合面１６と略面一となっており、ロックアーム１４の先端部１４ａが係止部１５の係止壁１５ａを通過すると、図７（ｃ）に示すように、サブコネクタ１０の端面１７は嵌合面１６を通過し、延長部４４が嵌合面１６側に突出する。
【００４１】
この場合、嵌合面壁２６は可撓性を有しているので、サブコネクタ１０の延長部４４の端面１７によって押圧されて撓む。これと共に、挿入溝３１、３２内の突き抜け防止リブ４２、４３は、当接壁３３、３３にそれぞれ当接して、これ以上のサブコネクタ１０の移動を阻止する。また、ロックアーム１４の先端部１４ａが係止部１５の係止壁１５ａを通過すると、ロックアーム１４のオーバーストローク差Ｓ分だけ、ロックアーム１４の先端部１４ａが係止壁１５ａから離れる。このオーバーストローク差Ｓ分だけ延長部４４の端面１７が嵌合面１６から突出している。
【００４２】
そして、図７（ｄ）に示すように、サブコネクタ１０の挿入動作を停止すると、嵌合面壁２６の付勢力によって、サブコネクタ１０が後端４１側へ移動し、ロックアーム１４の先端部１４ａが係止壁１５ａに当接して、係止部１５にロックアーム１４が係合する。この状態では、延長部４４の端面１７が嵌合面１６と面一状態となっており、嵌合面壁２６の付勢力によってサブコネクタ１０は後端側へ押圧されている。
【００４３】
以上により、サブコネクタ１０がサブコネクタ収容部１３内に、嵌合面１６と端面１７が面一状態で収容され、フレーム１２に組み付けられる。また、この状態では、可撓性の嵌合面壁２６によって、サブコネクタ１０はサブコネクタ収容部１３から抜け出る方向（サブコネクタ収容部１３へのサブコネクタ１０の挿入方向と反対方向）へ付勢され、ロックアーム１４の先端部１４ａは係止壁１５ａに押圧・当接されている。
【００４４】
このように、上記実施形態によれば、可撓性のロックアーム１４のストローク差Ｓがストローク差吸収手段１８である延長部４４によって吸収されるので、可撓性のロックアーム１４が元の形状に復帰して係止部１５と係合した状態では、サブコネクタ１０の端面１７とコネクタの嵌合面１６とが面一となり、相手コネクタとの嵌合時に、端子同士の接触代を十分確保することができる。
【００４５】
また、サブコネクタ１０にストローク差Ｓ分延設した延長部４４を設けることにより、可撓性のロックアーム１４が元の形状に復帰し係止部１５と係合すると延長部４４はサブコネクタ収容部１３側へ嵌合面壁２６の付勢力により移動して、相手コネクタの嵌合面１６とサブコネクタ１０の端面１７の位置とが面一となる。これにより、相手コネクタとの嵌合時に、端子同士の接触代を十分確保することができる。
【００４６】
また、上記実施形態によれば、サブコネクタ収容部１３の上下面部対向壁２８ａ、２８ｂに設けた、挿入溝３１、３１、挿入溝３２、３２のピッチ寸法Ｌ１、Ｌ２を異なる長さに設定し、サブコネクタ１０の上下面３７、３６にそれぞれ設けた突き抜け防止リブ４２、４２、突き抜け防止リブ４３、４３のピッチ寸法Ｐ１、Ｐ２を異なる長さに設定することにより、サブコネクタ収容部１３へのサブコネクタ１０の挿入方向を決めることができ、サブコネクタ収容部１３へのサブコネクタ１０の誤挿入を防止することができる。
【００４７】
さらに、突き抜け防止リブ４２、４３の先端部が、当接壁３３、３３にそれぞれ当接することにより、サブコネクタ収容部１３からのサブコネクタ１０の突き抜けを確実に防止することができる。
【００４８】
また、突き抜け防止リブ４２、４３の先端部が、当接壁３３、３３にそれぞれ当接することにより、サブコネクタ１０の移動を確実に阻止するので、撓んだ状態の嵌合面壁２６に無理な力が加わることを防止することができる。
【００４９】
また、上記実施形態では、嵌合面１６を形成する嵌合面形成部材２４に可撓性の嵌合面壁２６を設けたことにより、ロックアーム１４の先端部１４ａが係止部１５の係止壁１５ａに押圧・当接されるので、サブコネクタ収容部１３内でのサブコネクタのがたつきを確実に防止することができる。
【００５０】
なお、上記実施形態では、サブコネクタ１０の両側面３８、３９にロックアーム１４が設けられ、ロックアーム１４が係合する係止部１５をサブコネクタ収容部１３の側面部対向壁２７、２７に設けた場合、ストローク差Ｓ吸収手段１８として、サブコネクタ１０に延長部４４を設けたが、延長部４４を設けることに代えて、ロックアーム１４の位置をサブコネクタ１０の端面１７からストローク差Ｓ分後端４１側へ移動しても良い。さらに、係止部１５の係止壁１５ａの位置を、ストローク差Ｓ分嵌合面１６側へ移動しても良い。いずれの場合であっても、ロックアーム１４の先端部１４ａが係止部１５の係止壁１５ａに当接・係合する際には、サブコネクタ１０の端面１７は嵌合面１６より一旦突出する。
【００５１】
また、上記実施形態では、サブコネクタ１０の両側面３８、３９にロックアーム１４が設けられ、ロックアーム１４が係合する係止部１５をサブコネクタ収容部１３の側面部対向壁２７ａ、２７ｂに設けた例を示したが、サブコネクタ１０の両側面３８、３９に係止部１５を設け、サブコネクタ収容部１３の側面部対向壁２７ａ、２７ｂにロックアーム１４を設けても良い。
【図面の簡単な説明】
【００５２】
【図１】フレームにサブコネクタが収容されたメインコネクタを示し、（ａ）は一部を破断した破断側面図、（ｂ）は（ａ）の一部を拡大した断面図である。
【図２】メインコネクタを示し、（ａ）は正面図、（ｂ）は一部を破断した側面図である。
【図３】サブコネクタ収容部の内部を示し、（ａ）はサブコネクタの上面が対向する対向壁を示す正面図、（ｂ）はサブコネクタ収容部を示す正面図、（ｃ）はサブコネクタの下面が対向する対向壁を示す正面図である。
【図４】サブコネクタを示し、（ａ）は上面図、（ｂ）は正面図、（ｃ）は下面図である。
【図５】サブコネクタを示し、図４（ｂ）のＶ−Ｖ線に沿って切断した断面図である。
【図６】サブコネクタを示す斜視図である。
【図７】サブコネクタ収容部へサブコネクタを挿入する際のロックアームと係止部との関係を示し、（ａ）はロックアームが係止部に当接・摺動している状態を示す断面図、（ｂ）はロックアームが係止部の係止壁を通り越す直前の状態を示す断面図、（ｃ）はロックアームが係止部の係止壁を通り越した状態を示す断面図、（ｄ）はロックアームの先端部が係止壁に当接・係合した状態を示す断面図である。
【図８】従来のサブコネクタのロック構造を示し、（ａ）はサブコネクタとフレームを示す断面図、（ｂ）は（ａ）の一部を拡大した断面図である。
【符号の説明】
【００５３】
１０  サブコネクタ
１１  メインコネクタ
１２  フレーム
１３  サブコネクタ収容部
１４  ロックアーム
１５  係止部
１６  嵌合面
１７  先端部
１８  ストローク差吸収手段
４４  延長部
【図１】
2006085999.tif 000003
【図２】
2006085999.tif 000004
【図３】
2006085999.tif 000005
【図４】
2006085999.tif 000006
【図５】
2006085999.tif 000007
【図６】
2006085999.tif 000008
【図７】
2006085999.tif 000009
【図８】
2006085999.tif 000010